(57)【要約】【課題】  限られた復号処理性能で高速な動画再生を行なうことができる動画像再生装置を提供する。【解決手段】  本発明の動画像再生装置において、第１の閾値を保持する第１の閾値保持手段１０５と、第２の閾値を保持する第２の閾値保持手段１０６を有し、符号列の画像が画像間相関に利用される画像である場合、前記第１の閾値より未出画画像数が大きい場合に後方参照画像の出画予約を行い、前記符号列の画像が画像間相関に利用されない画像である場合、前記第１の閾値より前記未出画画像数が大きい場合に当該画像の復号および出画予約を行うようにして、高速な動画再生を行なうことができるようにした。【選択図】    図１
2005333441.tif 000002
【特許請求の範囲】
【請求項１】
動画像の符号列を入力し符号化された画像の符号化タイプを取得する符号化タイプ取得手段と、
再生速度を入力する再生速度入力手段と、
前記符号列を入力し符号化された画像を復号する復号処理手段と、
前記復号処理手段により復号された画像を保持する復号画像保持手段と、
前記復号画像保持手段に保持された画像を出力する画像出力手段と、
画像を出力した後、出力しなかった画像数を保持するスキップ数保持手段と、
第１の閾値を保持する第１の閾値保持手段と、
第２の閾値を保持する第２の閾値保持手段と、
前記符号化タイプ取得手段から前記符号化タイプを入力し、前記再生速度入力手段から前記再生速度を入力し、前記スキップ数保持手段とスキップ数を入出力し、前記第１の閾値保持手段と第１の閾値を入出力し、前記第２の閾値保持手段と第２の閾値を入出力し、前記復号処理手段に復号指示を出力し、前記画像出力手段に出力画像情報および画像出力指示を出力する制御手段を有し、
前記制御手段は、
前記符号化タイプ取得手段から入力された符号化タイプがＩピクチャあるいはＰピクチャである場合、前記第１の閾値より前記スキップ数が大きい場合には前記復号処理手段に前記復号指示を出力し、前記画像出力手段に参照画像を出力するよう指示し、前記符号化タイプがＢピクチャである場合、前記第２の閾値より前記スキップ数が大きい場合には前記復号処理手段に前記復号指示を出力し、前記画像出力手段に復号された画像を出力するよう指示する、
ことを特徴とする動画像再生装置。
【請求項２】
請求項１記載の動画像再生装置において、
前記制御手段は、
入力された再生速度より１減じた値以下の値を第１の閾値に設定し、前記再生速度より１減じた値以上の値を第２の閾値に設定する、
ことを特徴とする動画像再生装置。
【請求項３】
請求項２記載の動画像再生装置において、
再生速度許容幅を保持する手段と、
前記動画像の符号列に含まれる入力画像数と前記画像出力手段からの出力画像数とを入力し、前記入力画像数を前記出力画像数で除算することにより実測再生速度を計測する実測再生速度計測手段を有し、
前記実測再生速度計測手段により計測した実測再生速度を第１の再生速度とし、前記再生速度入力手段により入力された再生速度を第２の再生速度とするとき、
前記制御手段は、
前記第１の再生速度が前記第２の再生速度に前記再生速度許容幅を加えた値より大きい場合は、第１の閾値と第２の閾値の値を１減じ、前記第１の再生速度が前記第２の再生速度から前記再生速度許容幅を減じた値より小さい場合は、前記第１の閾値と前記第２の閾値の値を１増やす、
ことを特徴とする動画像再生装置。
【請求項４】
出力した画像と次に出力する画像の間にある、出力しない予定の画像数を保持するスキップ予定数保持手段と、
画像を出力した後、出力しなかった画像数を保持するスキップ数保持手段と、
スキップ予定数と再生速度の表を保持する手段と、
動画像の符号列を入力し符号化された画像の符号化タイプを取得する符号化タイプ取得手段と、
前記符号列を入力し符号化された画像を復号する復号処理手段と、
前記復号処理手段により復号された画像を保持する復号画像保持手段と、
前記復号画像保持手段に保持された画像を出力する画像出力手段と、
前記符号化タイプ取得手段から前記符号化タイプを入力し、前記再生速度入力手段から前記再生速度を入力し、前記スキップ数保持手段とスキップ数を入出力し、前記スキップ予定数保持手段とスキップ予定数を入出力し、スキップ予定数と再生速度の表を入力する制御手段を有し、
前記制御手段は、
前記スキップ予定数と再生速度の表を検索して、前記再生速度に対応するスキップ予定数を取得し、前記スキップ予定数より前記スキップ数が大きい場合に前記復号処理手段に復号を指示し、前記符号化タイプがＩピクチャまたはＰピクチャであれば参照画像を出力するよう前記画像出力手段に指示し、前記符号化タイプがＢピクチャである場合、前記復号処理手段に復号を指示し、復号された画像を出力するよう前記画像出力手段に指示する、
ことを特徴とする動画像再生装置。
【請求項５】
請求項４記載の動画像再生装置において、
連続するＢピクチャの数を保持するＢピクチャ連続数保持手段を有し、
制御手段は、
前記Ｂピクチャ連続数保持手段と連続するＢピクチャの数を入出力し、
前記連続するＢピクチャの数を計測し、前記連続するＢピクチャ数に対応したスキップ予定数と再生速度の表を取得し、取得した前記スキップ予定数と再生速度の表から再生速度に対応するスキップ予定数を取得する、
ことを特徴とする動画像再生装置。
【請求項６】
請求項１記載の動画像再生装置において、
フィールドの出画を保持するフィールド出画フラグ保持手段を備え、
前記フィールド出画フラグ保持手段のフラグがオンの場合は出画予約画像のボトムフィールドを出画予約し、前記フラグがオフの場合は該フラグをオンにして復号画像のトップフィールドを出画予約することにより、出力した画像と次に出力予定の画像との間に符号化タイプがＩピクチャあるいはＰピクチャの画像があるとき、前記ＩピクチャあるいはＰピクチャの画像のフィールドと次に出力する画像のフィールドを１フレーム期間に出力する、
ことを特徴とする動画像再生装置。
【請求項７】
動画像の符号列を入力し画像情報を取得する画像情報取得手段と、
前記符号列を入力し画像を復号する復号処理手段と、
前記復号処理手段により復号された画像を保持する復号画像保持手段と、
前記復号画像保持手段に保持された複数の画像を出力する画像出力手段と、
先読み時間を保持する手段と、
符号列に含まれるＩピクチャの表示時刻と符号位置の表を保持する手段と、
先読み時間保持手段から先読み時間を入力し、Ｉピクチャ表示時刻と符号位置を保持する表を入力し、復号処理手段から出力予定の画像の復号完了信号が入力し、前記符号列読み出し手段に符号列の入力位置の切替指示を出力し、前記復号処理手段に復号指示を出力し、前記画像出力手段に出力画像情報および画像出力指示を出力する制御手段を有し、
前記制御手段は、
前記復号処理手段より画像の復号完了信号を受け取り、出力予定の画像の復号が完了している場合、前記画像の出力予定の時刻と現在の時刻の間隔が１画像を復号する処理時間より大きければ、現在時刻から前記先読み時間を保持する手段に保持された時間以上先のＩピクチャを、前記符号列に含まれるＩピクチャの表示時刻と符号位置を保持する表から検索し、検索した符号位置の符号列を前記復号処理手段に入力し入力された符号列を復号するよう指示し、復号した画像と前記次に出力予定の画像とを同時に出力するよう前記画像出力手段に指示する、
ことを特徴とする動画像再生装置。
【発明の詳細な説明】
【技術分野】
【０００１】
本発明は動画像再生装置に関し、特にＭＰＥＧ方式などの画像間相関を利用した圧縮方式により符号化された動画像符号列を、光ディスクやハードディスクなどの記録手段や通信手段から取得し、その動画符号列を復号し出力する動画像再生装置に関する。
【背景技術】
【０００２】
ＭＰＥＧ方式などの動画像圧縮方式は、画像内の画素のブロックを別の画像（以下参照画像）の画素のブロックから予測し、参照画像の画素ブロックとの差分を離散コサイン変換（以下ＤＣＴ）などの変換を用いて動画像データ量を圧縮している。ＭＰＥＧでは参照画像を用いず画像内で圧縮された画像をＩピクチャ、時間軸上の過去の参照画像を用いて圧縮される画像をＰピクチャ、時間軸上の過去の参照画像と未来の参照画像を用いて圧縮される画像をＢピクチャと呼ぶ。また、Ｉピクチャ、Ｐピクチャ、Ｂピクチャを符号化タイプと呼ぶ。ＩピクチャとＰピクチャは参照画像として利用されるが、Ｂピクチャは参照画像とはならない。
【０００３】
従来の動画像再生装置では、１倍速より高速の再生時には、現在表示中の画像を基点として時間間隔が一定になるように出力画像の候補を決定している（例えば、特許文献１参照）。
【０００４】
図１７は、従来の動画像再生装置の復号化方法のフローチャートであり、図１８は、従来の動画像再生装置における入力符号列と出力画像の関係図である。
【０００５】
図１８において、１８０は入力される符号列、１８１は再生速度が１倍の出力画像であり、１８２は再生速度が２倍の出力画像であり、１８３は再生速度が３倍の出力画像であり、１８４は再生速度が４倍の出力画像であり、１８５は再生速度が５倍の出力画像であり、１８６は再生速度が６倍の出力画像であり、１８７は再生速度が７倍の出力画像である。
【０００６】
図１７において、まず、次の画像の符号化タイプの解析処理を行い（ステップＳ１０００）、出力画像に該当するかどうか判定する（ステップＳ１００１）。ここで出力画像とは、図１８の１倍速再生出力画像１８２の「Ｉ０」の時点の画像が基点となっているとき、再生速度がＮ（Ｎ＝１、２，３，４．．．）の場合、その画像から表示時間軸上の未来方向で表示間隔（Ｎ−１）画像となるような画像のことである。
【０００７】
もし、該画像が出力画像に該当すれば（ステップＳ１００１でＹｅｓ）、符号化タイプを判定（ステップＳ１００２）し、Ｉ画像およびＰ画像であれば、その画像については表示予約する（ステップＳ１００３）。ステップＳ１００２でＢピクチャであると判定されれば、復号時間に余裕があるか判定（ステップＳ１００８）され、余裕があれば（ステップＳ１００８でＹｅｓ）、その画像については表示予約する（ステップＳ１００３）。
【０００８】
次に該画像が復号（ステップＳ１００４）され、表示設定処理（ステップＳ１００５）が行われる。ここでは、復号済みの画像のうち、表示予約された表示すべき画像について、表示順で適切な順序にて表示する処理である。以上のような処理の後、次の画像の解析が行われる（ステップＳ１０００）。
【０００９】
ステップＳ１００１で、出力画像に該当しないと判定された場合（ステップＳ１００１でＮｏ）は、Ｉ画像およびＰ画像、もしくはＢ画像のいずれの符号化タイプであるかを判定した後（ステップＳ１００６）、Ｂ画像であれば、該Ｂ画像の符号列が読み捨てられる（ステップＳ１００７）。Ｉ画像およびＰ画像であれば、復号処理（ステップＳ１００４）へ飛ぶ。
【００１０】
一方、ステップＳ１００８で、Ｂ画像の復号時間に余裕がないと判定された場合（ステップＳ１００８でＮｏ）は、後処理を行い（ステップＳ１００９）、その後、表示設定処理（ステップＳ１００５）へ飛ぶ。ここで、後処理Ｓ１００９はＢ画像以外の画像に出会うまでＢ画像の符号列を読み捨てる処理である。
【特許文献１】特開２０００−３２３９５号公報
【発明の開示】
【発明が解決しようとする課題】
【００１１】
図１８において、１８１〜１８７で右上がりの斜線を付した画像は、出力画像に該当しないため出力はしないが、符号化タイプがＩピクチャまたはＰピクチャであり、参照画像として利用されるため復号が必要な画像である。ここで、画像再生において、出力画像の復号処理と、右上がりの斜線を付した画像の復号処理が必要である。
【００１２】
再生速度を１倍より速い速度にして再生する高速再生機能は、画面を見ながら所望の画像を検索する際に有用な機能であるが、再生速度が高速になるにしたがって、高い復号処理性能が必要であり、限られた能力の動画再生装置では高速な動画再生は困難であった。
【００１３】
また、再生速度が高速になるにしたがって、出力画像間の時間軸上の断絶が長くなり、再生画像が滑らかでなくなるという問題や、再生速度が高速になるにしたがって高速再生の途中で視認により適切な位置を判断して再生を停止することが困難になるといった問題もあった。
【００１４】
本発明は、上記のような従来の問題点を解決するためになされたもので、復号処理性能を維持したまま、より自然で高速な動画再生を行なうことができる動画像再生装置を得ることを目的とする。
【課題を解決するための手段】
【００１５】
この目的を達成するために、本発明の請求項１による動画像再生装置は、動画像の符号列を入力し符号化された画像の符号化タイプを取得する符号化タイプ取得手段と、再生速度を入力する再生速度入力手段と、前記符号列を入力し符号化された画像を復号する復号処理手段と、前記復号処理手段により復号された画像を保持する復号画像保持手段と、前記復号画像保持手段に保持された画像を出力する画像出力手段と、画像を出力した後、出力しなかった画像数を保持するスキップ数保持手段と、第１の閾値を保持する第１の閾値保持手段と、第２の閾値を保持する第２の閾値保持手段と、前記符号化タイプ取得手段から前記符号化タイプを入力し、前記再生速度入力手段から前記再生速度を入力し、前記スキップ数保持手段とスキップ数を入出力し、前記第１の閾値保持手段と第１の閾値を入出力し、前記第２の閾値保持手段と第２の閾値を入出力し、前記復号処理手段に復号指示を出力し、前記画像出力手段に出力画像情報および画像出力指示を出力する制御手段を有し、前記制御手段は、前記符号化タイプ取得手段から入力された符号化タイプがＩピクチャあるいはＰピクチャである場合、前記第１の閾値より前記スキップ数が大きい場合には前記復号処理手段に前記復号指示を出力し、前記画像出力手段に参照画像を出力するよう指示し、前記符号化タイプがＢピクチャである場合、前記第２の閾値より前記スキップ数が大きい場合には前記復号処理手段に前記復号指示を出力し、前記画像出力手段に復号された画像を出力するよう指示することを特徴とするものである。
【００１６】
本発明の請求項２による動画像再生装置は、請求項１記載の動画像再生装置において、前記制御手段は、入力された再生速度より１減じた値以下の値を第１の閾値に設定し、前記再生速度より１減じた値以上の値を第２の閾値に設定することを特徴とするものである。
【００１７】
本発明の請求項３による動画像再生装置は、請求項２記載の動画像再生装置において、再生速度許容幅を保持する手段と、前記動画像の符号列に含まれる入力画像数と前記画像出力手段からの出力画像数とを入力し、前記入力画像数を前記出力画像数で除算することにより実測再生速度を計測する実測再生速度計測手段を有し、前記実測再生速度計測手段により計測した実測再生速度を第１の再生速度とし、前記再生速度入力手段により入力された再生速度を第２の再生速度とするとき、前記制御手段は、前記第１の再生速度が前記第２の再生速度に前記再生速度許容幅を加えた値より大きい場合は、第１の閾値と第２の閾値の値を１減じ、前記第１の再生速度が前記第２の再生速度から前記再生速度許容幅を減じた値より小さい場合は、前記第１の閾値と前記第２の閾値の値を１増やすことを特徴とするものである。
【００１８】
本発明の請求項４による動画像再生装置は、出力した画像と次に出力する画像の間にある、出力しない予定の画像数を保持するスキップ予定数保持手段と、画像を出力した後、出力しなかった画像数を保持するスキップ数保持手段と、スキップ予定数と再生速度の表を保持する手段と、動画像の符号列を入力し符号化された画像の符号化タイプを取得する符号化タイプ取得手段と、前記符号列を入力し符号化された画像を復号する復号処理手段と、前記復号処理手段により復号された画像を保持する復号画像保持手段と、前記復号画像保持手段に保持された画像を出力する画像出力手段と、前記符号化タイプ取得手段から前記符号化タイプを入力し、前記再生速度入力手段から前記再生速度を入力し、前記スキップ数保持手段とスキップ数を入出力し、前記スキップ予定数保持手段とスキップ予定数を入出力し、スキップ予定数と再生速度の表を入力する制御手段を有し、前記制御手段は、前記スキップ予定数と再生速度の表を検索して、前記再生速度に対応するスキップ予定数を取得し、前記スキップ予定数より前記スキップ数が大きい場合に前記復号処理手段に復号を指示し、前記符号化タイプがＩピクチャまたはＰピクチャであれば参照画像を出力するよう前記画像出力手段に指示し、前記符号化タイプがＢピクチャである場合、前記復号処理手段に復号を指示し、復号された画像を出力するよう前記画像出力手段に指示することを特徴とするものである。
【００１９】
本発明の請求項５による動画像再生装置は、請求項４記載の動画像再生装置において、連続するＢピクチャの数を保持するＢピクチャ連続数保持手段を有し、制御手段は、前記Ｂピクチャ連続数保持手段と連続するＢピクチャの数を入出力し、前記連続するＢピクチャの数を計測し、前記連続するＢピクチャ数に対応したスキップ予定数と再生速度の表を取得し、取得した前記スキップ予定数と再生速度の表から再生速度に対応するスキップ予定数を取得することを特徴とするものである。
【００２０】
本発明の請求項６による動画像再生装置は、請求項１記載の動画像再生装置において、フィールドの出画を保持するフィールド出画フラグ保持手段を備え、前記フィールド出画フラグ保持手段のフラグがオンの場合は出画予約画像のボトムフィールドを出画予約し、前記フラグがオフの場合は該フラグをオンにして復号画像のトップフィールドを出画予約することにより、出力した画像と次に出力予定の画像との間に符号化タイプがＩピクチャあるいはＰピクチャの画像があるとき、前記ＩピクチャあるいはＰピクチャの画像のフィールドと次に出力する画像のフィールドを１フレーム期間に出力することを特徴とするものである。
【００２１】
本発明の請求項７による動画像再生装置は、動画像の符号列を入力し画像情報を取得する画像情報取得手段と、前記符号列を入力し画像を復号する復号処理手段と、前記復号処理手段により復号された画像を保持する復号画像保持手段と、前記復号画像保持手段に保持された複数の画像を出力する画像出力手段と、先読み時間を保持する手段と、符号列に含まれるＩピクチャの表示時刻と符号位置の表を保持する手段と、先読み時間保持手段から先読み時間を入力し、Ｉピクチャ表示時刻と符号位置を保持する表を入力し、復号処理手段から出力予定の画像の復号完了信号が入力し、前記符号列読み出し手段に符号列の入力位置の切替指示を出力し、前記復号処理手段に復号指示を出力し、前記画像出力手段に出力画像情報および画像出力指示を出力する制御手段を有し、前記制御手段は、前記復号処理手段より画像の復号完了信号を受け取り、出力予定の画像の復号が完了している場合、前記画像の出力予定の時刻と現在の時刻の間隔が１画像を復号する処理時間より大きければ、現在時刻から前記先読み時間を保持する手段に保持された時間以上先のＩピクチャを、前記符号列に含まれるＩピクチャの表示時刻と符号位置を保持する表から検索し、検索した符号位置の符号列を前記復号処理手段に入力し入力された符号列を復号するよう指示し、復号した画像と前記次に出力予定の画像とを同時に出力するよう前記画像出力手段に指示することを特徴とすることを特徴とするものである。
【発明の効果】
【００２２】
本発明の動画像再生装置によれば、１倍速より速い高速再生時に、入力した再生速度より１減じた値以下の値を第１の閾値に設定し、前記再生速度より１減じた値以上の値を第２の閾値に設定することにより、ＩピクチャあるいはＰピクチャの出力を決定する第１の閾値は、Ｂピクチャの出力を決定する第２の閾値より小さいため、従来の方法ではＢピクチャが出力されていたタイミングでＩピクチャあるいはＰピクチャが出力される場合が増える。これにより、従来の方法では必要であったＢピクチャの復号が不要になるため、限られた能力の動画再生装置で高速な動画再生が可能になる。
【発明を実施するための最良の形態】
【００２３】
以下、本発明の実施の形態について図面を参照しながら説明する。
（実施の形態１）
本発明の請求項３に対応する実施の形態を図面を用いて説明する。
図１は、本発明の実施の形態１による動画像再生装置の構成図である。
【００２４】
図１において、Ｄ１００は動画を圧縮符号化した符号列、Ｄ１０１は符号化タイプ、Ｄ１０２は復号後の画像データ、Ｄ１０３は映像信号、Ｄ１０４は復号を指示するコマンド、Ｄ１０５は画像の出力を指示するコマンドである。
【００２５】
１００は前記符号列Ｄ１００を入力し前記符号化タイプＤ１０１を出力する符号化タイプ取得手段、１０１は符号列Ｄ１００を入力し復号後の画像データＤ１０１を出力する符号処理手段、１０２は復号後の画像を保持する復号画像保持手段、１０３は前記復号後の画像データＤ１０２を入力し映像信号Ｄ１０３を出力する画像出力手段、１０４は画像を出力した後、出力しなかった画像数を保持するスキップ数保持手段、１０５は第１の閾値保持手段、１０６は第２の閾値保持手段、１０７は再生速度入力手段、１０８は制御手段である。
【００２６】
次に前記制御手段１０８が前記第１の閾値保持手段１０５に保持する値、および前記第２の閾値保持手段１０６に保持する値を設定する動作を図２のフローチャートを用いて説明する。
【００２７】
図２は、本発明の実施の形態１による動画像再生装置の閾値設定動作のフローチャートである。
図２において、高速再生開始時に入力画像数は「０」にリセットされる。前記入力画像数が「０」であれば（ステップＳ１００でＹｅｓ）、前記再生速度入力手段１０７により入力された再生速度から「２」を減じた値を前記第１の閾値保持手段１０５の保持する値に設定し、前記再生速度の値を前記第２の閾値保持手段１０６の保持する値に設定する（ステップＳ１０１）。
【００２８】
前記入力画像数が「０」でない場合は（ステップＳ１００でＮｏ）、所定の時間が経過したとき（ステップＳ１０２でＹｅｓ）、実測再生速度計測手段（図示せず）により前記入力画像数を出力画像数で割って実測再生速度を求め（ステップＳ１０３）、前記実測再生速度と前記再生速度に再生速度許容幅保持手段（図示せず）が保持する再生速度許容幅である「１」を加算した値とを比較する（ステップＳ１０４）。
【００２９】
もし前記実測再生速度が前記再生速度に再生速度許容幅の「１」を加えた値以上であれば（ステップＳ１０４でＹｅｓ）、前記再生速度が「２」の場合は「０」を第１の閾値保持手段１０５の保持する値に設定し、前記再生速度が「３」以上の場合は前記再生速度から「３」を減じた値を第１の閾値保持手段１０５の保持する値に設定し、前記再生速度から「１」を減じた値を第２の閾値保持手段１０６の保持する値に設定する（ステップＳ１０５）。
【００３０】
前記実測再生速度が前記再生速度に再生速度許容幅の「１」を加えた値以上でない場合は（ステップＳ１０４でＮｏ）、前記実測再生速度と前記再生速度から「１」を減じた値とを比較する（ステップＳ１０６）。もし前記実測再生速度が入力された前記再生速度から「１」を減じた値以下であれば（ステップＳ１０６でＹｅｓ）、前記再生速度に「１」を減じた値を第１の閾値保持手段１０５の保持する値に設定し、前記再生速度から「１」を加えた値を第２の閾値保持手段１０６の保持する値に設定する（ステップＳ１０７）
【００３１】
次に前記制御手段１０８が画像の出力を判定するときの動作を図３のフローチャートを用いて説明する。
【００３２】
図３は、本発明の実施の形態１による動画像再生装置の出画判定動作のフローチャートである。
図３において、次の画像の前記符号化タイプＤ１０１がＢピクチャかＩまたはＰピクチャかを判定し（ステップＳ２００）、もし前記符号化タイプＤ１０１がＩまたはＰピクチャであれば、復号処理手段１０１に復号するよう指示するコマンドＤ１０４を出力する（ステップＳ２０１）。次に前記第１の閾値保持手段１０５の保持する値と前記スキップ数保持手段１０４の保持する値とを比較し（ステップＳ２０２）、もし前記スキップ数保持手段１０４の保持する値が前記第１の閾値保持手段１０５の保持する値以上であれば（ステップＳ２０２でＹｅｓ）、後方向の参照画像を出画予約するよう指示するコマンドＤ１０５を出力する（ステップＳ２０３）。もし前記スキップ数保持手段１０４の保持する値が前記第１の閾値保持手段１０５の保持する値より小さければ（ステップＳ２０２でＮｏ）、前記スキップ数保持手段１０４の保持する値をインクリメントする（ステップＳ２０４）。
【００３３】
もし次の画像がＢピクチャであれば、前記第２の閾値保持手段１０６の保持する値と前記第２の閾値保持手段１０６の保持する値を比較し（ステップＳ２０５）、もし前記スキップ数保持手段１０４の保持する値が前記第２の閾値保持手段１０６の保持する値以上であれば（ステップＳ２０５でＹｅｓ）、復号処理手段１０１に復号するよう指示するコマンドＤ１０４を出力し（ステップＳ２０６）、復号後の画像を出画予約するよう指示するコマンドＤ１０５を出力する（ステップＳ２０７）。もし前記スキップ数保持手段１０４の保持する値が前記第２の閾値保持手段１０６の保持する値より小さければ（ステップＳ２０５でＮｏ）、前記スキップ数保持手段１０４の保持する値をインクリメントする（ステップＳ２０４）。
【００３４】
次に、本発明の実施の形態１による動画像再生装置における、再生速度と第１の閾値および第２の閾値、および出画の説明を図４を用いて行う。
図４は、本発明の実施の形態１による動画像再生装置の入力符号列と出力画像の説明図である。
【００３５】
図４において、４１は符号化された符号列であり、１５画像に一度Ｉピクチャとして符号化され、３画像に１度Ｐピクチャとして符号化され、ＢピクチャはＩピクチャまたはＰピクチャの間に２画像ずつ符号化されている。
【００３６】
４２は２倍速再生時の出力画像列を示しており、「Ｉ０」を入力画像数と出画画像数の基点としている。高速再生開始時に第１の閾値Ｔ１は「０」を設定され、第２の閾値Ｔ２は「２」を設定される。高速再生開始時から１５画像が入力したとき、５画像が出画されているため実測再生速度は「３」となり、入力された再生速度より「１」大きいため、次の画像から第１の閾値Ｔ１は「０」に設定され、第２の閾値Ｔ２は「１」に設定される。
【００３７】
４３は３倍速再生時の出力画像列を示しており、高速再生開始時に第１の閾値Ｔ１は「１」に設定され、第２の閾値Ｔ２は「３」を設定される。高速再生開始時から１５画像が入力したとき、５画像が出画されているため実測再生速度は「３」となり、入力された再生速度と同じなので第１の閾値Ｔ１と第２の閾値Ｔ２はそのままの設定になる。
【００３８】
４４は４倍速再生時の出力画像列を示しており、高速再生開始時に第１の閾値Ｔ１は「２」に設定され、第２の閾値Ｔ２は「４」が設定される。高速再生開始から１５画像が入力したとき、５画像が出画されており、実測再生速度は「３」となり、入力された再生速度より「１」小さいため、第１の閾値Ｔ１は「３」に設定され、第２の閾値Ｔ２は「５」に設定される。
【００３９】
４５は５倍速再生時の出力画像列を示しており、高速再生開始時に第１の閾値Ｔ１は「３」に設定され、第２の閾値Ｔ２は「５」が設定される。高速再生開始から１５画像が入力したとき、３画像が出画されており、実測再生速度と再生速度は同じである。３０画像が入力したとき、５画像が出画され、実測再生速度は「６」となり、入力された再生速度より「１」大きいため、第１の閾値Ｔ１は「２」に設定され、第２の閾値Ｔ２は「４」に設定される。
【００４０】
図５（ａ）は従来の高速再生復号方法により、毎秒３０画像の画像を５秒間高速再生した場合の各再生速度設定の出力画像数と復号画像数の表であり、図５（ｂ）は本発明の実施の形態１による動画像再生装置における各再生速度設定の出力画像数と復号画像数の表である。
【００４１】
図示するように、本実施の形態と従来技術との出力画像数の差は再生速度が「４」と「７」の場合にわずかにあるだけであるが、復号後に未出画である画像数の差は大きい。
【００４２】
このように、本実施の形態によれば、第１の閾値を保持する第１の閾値保持手段１０５と、第２の閾値を保持する第２の閾値保持手段１０６と、符号化タイプ取得手段１００から符号化タイプを入力し、再生速度入力手段１０７から再生速度を入力し、スキップ数保持手段１０４とスキップ数を入出力し、前記第１の閾値保持手段１０５と第１の閾値を入出力し、前記第２の閾値保持手段１０６と第２の閾値を入出力し、復号処理手段１０１に復号指示を出力し、画像出力手段１０３に出力画像情報および画像出力指示を出力する制御手段１０８を有し、前記制御手段１０８は、前記符号化タイプ取得手段１００から入力された符号化タイプがＩピクチャあるいはＰピクチャである場合、前記第１の閾値より前記スキップ数が大きい場合には前記復号処理手段１０１に前記復号指示を出力し、前記画像出力手段１０３に参照画像を出力するよう指示し、前記符号化タイプがＢピクチャである場合、前記第２の閾値より前記スキップ数が大きい場合には前記復号処理手段１０１に前記復号指示を出力し、前記画像出力手段１０３に復号された画像を出力するよう指示するようにしたので、少ない復号処理性能でより高速の再生が可能である。
【００４３】
（実施の形態２）
本発明の請求項５に対応する実施の形態を図面を用いて説明する。
図６は、本発明の実施の形態２による動画像再生装置の構成図である。
【００４４】
図６において、Ｄ１００は動画を圧縮符号化した符号列、Ｄ１０１は符号化タイプ、Ｄ１０２は復号後の画像データ、Ｄ１０３は映像信号、Ｄ１０４は復号を指示するコマンド、Ｄ１０５は画像の出力を指示するコマンドである。
【００４５】
１００は前記符号列Ｄ１００を入力し前記符号化タイプＤ１０１を出力する符号化タイプ取得手段、１０１は符号列Ｄ１００を入力し復号後の画像データＤ１０１を出力する符号処理手段、１０２は復号後の画像を保持する復号画像保持手段、１０３は前記復号後の画像データＤ１０２を入力し映像信号Ｄ１０３を出力する画像出力手段、１０４は画像を出力した後、出力しなかった画像数を保持するスキップ数保持手段、２００は出力した画像と次に出力する画像の間にある、出力しない予定の画像数を保持するスキップ予定数保持手段、２０１は連続するＢピクチャの数を保持するＢピクチャ連続数保持手段、２０２はスキップ予定数・再生速度の表保持手段、１０７は再生速度入力手段、１０８は制御手段である。
【００４６】
図７（ａ）及び図７（ｂ）は、本発明の実施の形態２による動画像再生装置におけるスキップ予定数・再生速度の表であり、前記スキップ予定数・再生速度の表の例を示している。
【００４７】
図７（ａ）において、前記Ｂピクチャ連続数Ｄ２００が「３」の場合の各再生速度ごとのスキップ予定数の要素数と出画間隔配列を示している。また、図７（ｂ）において、前記Ｂピクチャ連続数Ｄ２００が「４」の場合の各再生速度ごとのスキップ予定数の要素数と出画間隔配列を示している。
【００４８】
次に前記制御手段１０８の動作を図８のフローチャートを用いて説明する。
図８は、本発明の実施の形態２による動画像再生装置の出画判定動作のフローチャートである。
【００４９】
図８において、変数Ｎを「１」に初期化する（ステップＳ３００）。前記Ｂピクチャ連続数保持手段２０１に保持される値と前記再生速度入力手段１０７により入力された再生速度を用いて、前記スキップ予定数・再生速度の表に含まれるＮ番目の要素をスキップ予定数保持手段２００に設定する（ステップＳ３０１）。
【００５０】
次の画像の前記符号化タイプＤ１０１がＢピクチャかＩまたはＰピクチャかを判定し（ステップＳ３０２）、もし前記符号化タイプＤ１０１がＩまたはＰピクチャであれば（ステップＳ３０２でＹｅｓ）、復号処理手段１０１に復号するよう指示するコマンドＤ１０４を出力する（ステップＳ３０３）。
【００５１】
次に前記スキップ予定数保持手段２００の保持する値と前記スキップ数保持手段１０４の保持する値とを比較し（ステップＳ３０４）、もし前記スキップ数保持手段１０４の保持する値が前記スキップ予定数保持手段２００の保持する値以上であれば（ステップＳ３０４でＹｅｓ）、後方向の参照画像を出画予約するよう指示するコマンドＤ１０５を出力する（ステップＳ３０５）。前記変数Ｎが前記スキップ予定数・再生速度の表に含まれる要素数以上であれば（ステップＳ３０６でＹｅｓ）、変数Ｎを「１」にリセットし（ステップＳ３０７）、もし前記変数Ｎが前記スキップ予定数・再生速度の表に含まれる要素数より小さければ（ステップＳ３０６でＮｏ）、変数Ｎをインクリメントする（ステップＳ３０８）。
【００５２】
もし前記スキップ数保持手段１０４の保持する値が前記スキップ予定数保持手段２００の保持する値より小さければ（ステップＳ３０４でＮｏ）、前記スキップ数保持手段１０４の保持する値をインクリメントする（ステップＳ３０９）。もし次の画像がＢピクチャであれば（ステップＳ３０２）、前記スキップ予定数保持手段２００の保持する値と前記スキップ数保持手段１０４の保持する値とを比較し（ステップＳ３１０）、もし前記スキップ数保持手段１０４の保持する値が前記スキップ予定数保持手段２００の保持する値以上であれば（ステップＳ３１０でＹｅｓ）、復号処理手段１０１に復号するよう指示するコマンドＤ１０４を出力し（ステップＳ３１１）、復号後の画像を出画予約するよう指示するコマンドＤ１０５を出力する（ステップＳ３１２）。もし前記スキップ数保持手段１０４の保持する値が前記スキップ予定数保持手段２００の保持する値より小さければ（ステップＳ３１０でＮｏ）、前記スキップ数保持手段１０４の保持する値をインクリメントする（ステップＳ３０９）。
【００５３】
本実施の形態２による動画像再生装置における、再生速度と出画の説明を図９と図１０を用いて行う。
図９は、本発明の実施の形態２による動画像再生装置におけるＢピクチャ連続数が２の場合の入力符号列と出力画像の説明図である。
【００５４】
図９において、９１は符号化された符号列であり、１５画像に一度Ｉピクチャとして符号化され、３画像に１度Ｐピクチャとして符号化され、ＢピクチャはＩピクチャまたはＰピクチャの間に２画像ずつ符号化されている。
【００５５】
９２は２倍速再生時の出力画像列を示しており、「Ｉ０」を入力画像数とスキップ数の基点としスキップ予定数が「０、１、２」のパターンで繰り返される。
９３は４倍速再生時の出力画像列を示しており、「Ｉ０」を入力画像数とスキップ数の基点としスキップ予定数が「２、２、５」のパターンで繰り返される。
９４は５倍速再生時の出力画像列を示しており、「Ｉ０」を入力画像数とスキップ数の基点としスキップ予定数が「２、５、５」のパターンで繰り返される。
９５は７倍速再生時の出力画像列を示しており、「Ｉ０」を入力画像数とスキップ数の基点としスキップ予定数が「５、５、８」のパターンで繰り返される。
９６は８倍速再生時の出力画像列を示しており、「Ｉ０」を入力画像数とスキップ数の基点としスキップ予定数が「５、８、８」のパターンで繰り返される。
【００５６】
図１０は、本発明の実施の形態２による動画像再生装置における、Bピクチャ連続数が３の場合の入力符号列と出力画像の説明図である。
図１０において、１１は符号化された符号列であり、２０画像に一度Ｉピクチャとして符号化され、４画像に１度Ｐピクチャとして符号化され、ＢピクチャはＩピクチャまたはＰピクチャの間に３画像ずつ符号化されている。
【００５７】
１２は２倍速再生時の出力画像列を示しており、「Ｉ０」を入力画像数とスキップ数の基点としスキップ予定数が「１」のパターンで繰り返される。
１３は３倍速再生時の出力画像列を示しており、「Ｉ０」を入力画像数とスキップ数の基点としスキップ予定数が「１、１、３、３」のパターンで繰り返される。
１４は５倍速再生時の出力画像列を示しており、「Ｉ０」を入力画像数とスキップ数の基点としスキップ予定数が「３、３、３、８」のパターンで繰り返される。
１５は６倍速再生時の出力画像列を示しており、「Ｉ０」を入力画像数とスキップ数の基点としスキップ予定数が「３、３、８、８」のパターンで繰り返される。
１６は７倍速再生時の出力画像列を示しており、「Ｉ０」を入力画像数とスキップ数の基点としスキップ予定数が「３、８、８、８」のパターンで繰り返される。
【００５８】
図１１は、本発明の実施の形態２による動画像再生装置のＢピクチャ連続数が３の場合の各再生速度設定ごとの出力画像数と復号画像数の表である。
図１１において、本実施の形態と従来技術との出力画像数は同じであるが、復号後に未出画である画像数の差は大きい。
【００５９】
このように本実施の形態によれば、出力した画像と次に出力する画像の間にある、出力しない予定の画像数を保持するスキップ予定数保持手段２００と、画像を出力した後、出力しなかった画像数を保持するスキップ数保持手段１０４と、スキップ予定数・再生速度の表保持手段２０２と、符号化タイプ取得手段１００から符号化タイプを入力し、再生速度入力手段１０７から再生速度を入力し、前記スキップ数保持手段１０４とスキップ数を入出力し、前記スキップ予定数保持手段２００とスキップ予定数を入出力し、スキップ予定数と再生速度の表を入力する制御手段１０８を有し、前記制御手段１０８は、前記スキップ予定数と再生速度の表を検索して、前記再生速度に対応するスキップ予定数を取得し、前記スキップ予定数より前記スキップ数が大きい場合に復号処理手段１０１に復号を指示し、前記符号化タイプがＩピクチャまたはＰピクチャであれば参照画像を出力するよう画像出力手段１０３に指示し、前記符号化タイプがＢピクチャである場合、前記復号処理手段１０１に復号を指示し、復号された画像を出力するよう前記画像出力手段１０３に指示するようにしたので、復号後未出力の画像数を小さくすることができ、少ない復号処理性能でより高速の再生が可能である。
【００６０】
（実施の形態３）
本発明の請求項６に対応する実施の形態を図面を用いて説明する。
図１２は、本発明の実施の形態３による動画像再生装置の構成図である。
【００６１】
図１２において、Ｄ１００は動画を圧縮符号化した符号列、Ｄ１０１は符号化タイプ、Ｄ１０２は復号後の画像データ、Ｄ１０３は映像信号、Ｄ１０４は復号を指示するコマンド、Ｄ１０５は画像の出力を指示するコマンドである。
【００６２】
１００は前記符号列Ｄ１００を入力し前記符号化タイプＤ１０１を出力する符号化タイプ取得手段、１０１は符号列Ｄ１００を入力し復号後の画像データＤ１０１を出力する符号処理手段、１０２は復号後の画像を保持する復号画像保持手段、１０３は前記復号後の画像データＤ１０２を入力し映像信号Ｄ１０３を出力する画像出力手段、３００はフィールドの出力を保持するフィールド出画フラグ保持手段、１０４は画像を出力した後、出力しなかった画像数を保持するスキップ数保持手段、１０５は第１の閾値保持手段、１０６は第２の閾値保持手段、１０７は再生速度入力手段、１０８は制御手段である。
【００６３】
前記制御手段１０８の動作を図１３のフローチャートを用いて説明する。
図１３は、本発明の実施の形態３による動画図再生装置の出画判定動作のフローチャートである。
【００６４】
図１３において、次の画像の前記符号化タイプＤ１０１がＢピクチャかＩまたはＰピクチャかを判定し（ステップＳ４００）、もし前記符号化タイプＤ１０１がＩまたはＰピクチャであれば（ステップＳ４００でＹｅｓ）、復号処理手段１０１に復号するよう指示するコマンドＤ１０４を出力する（ステップＳ４０１）。次に前記第１の閾値保持手段１０５の保持する値と前記スキップ数保持手段１０４の保持する値とを比較し（ステップＳ４０２）、もし前記スキップ数保持手段１０４の保持する値が前記第１の閾値保持手段１０５の保持する値以上であれば（ステップＳ４０２でＹｅｓ）、後方向の参照画像を出画予約するよう指示するコマンドＤ１０５を出力する（ステップＳ４０３）。続いて、フィールド出画フラグ保持手段３００のフラグがＯＮかを調べ（ステップＳ４０４）、もしフラグがＯＮであれば、出画予約画像のボトムフィールドを出画予約し（ステップＳ４０５）、前記フィールド出画フラグ保持手段３００のフラグをＯＦＦする（ステップＳ４０６）。
【００６５】
もし前記スキップ数保持手段１０４の保持する値が前記第１の閾値保持手段１０５の保持する値以下の場合は（ステップＳ４０２でＮｏ）、フィールド出画フラグ保持手段３００のフラグがＯＮかを調べ（ステップＳ４０７）、ステップＳ４０７で前記フィールド出画フラグ保持手段３００のフラグがＯＦＦであると、前記フィールド出画フラグ保持手段３００のフラグをＯＮし（ステップＳ４０８）、復号画像のトップフィールドを出画予約し（ステップＳ４０９）、前記スキップ数保持手段１０４の保持する値をインクリメントする（ステップＳ４１０）。
【００６６】
もしステップＳ４００で次の画像がＢピクチャであれば、前記第２の閾値保持手段１０６の保持する値と前記第２の閾値保持手段１０６の保持する値を比較し（ステップＳ４１１）、もし前記スキップ数保持手段１０４の保持する値が前記第２の閾値保持手段１０６の保持する値以上であれば（ステップＳ４１１でＹｅｓ）、復号処理手段１０１に復号するよう指示するコマンドＤ１０４を出力し（ステップＳ４１２）、復号後の画像を出画予約するよう指示するコマンドＤ１０５を出力する（ステップＳ４１３）。続いてフィールド出画フラグ保持手段３００のフラグがＯＮかを調べ（ステップＳ４０４）。もしフラグがＯＮであれば、出画予約画像のボトムフィールドを出画予約し（ステップＳ４０５）、前記フィールド出画フラグ保持手段３００のフラグをＯＦＦする（ステップＳ４０６）。
【００６７】
このように、本実施の形態によれば、フィールドの出画を保持するフィールド出画フラグ保持手段３００を備え、前記フィールド出画フラグ保持手段３００のフラグがオンの場合は出画予約画像のボトムフィールドを出画予約し、前記フラグがオフの場合は該フラグをオンにして復号画像のトップフィールドを出画予約することにより、出力した画像と次に出力予定の画像との間に符号化タイプがＩピクチャあるいはＰピクチャの画像があるとき、前記ＩピクチャあるいはＰピクチャの画像のフィールドと次に出力する画像のフィールドを１フレーム期間に出力するようにしたので、高速再生中に復号するが出画しないＩピクチャまたはＰピクチャの画像があると、前記画像のトップフィールドを出力し、次に出画予約される画像のボトムフィールドが出力されるため、出画画像間の時間軸上の断絶が短くなり、滑らかな高速再生表示が得られる。
【００６８】
（実施の形態４）
本発明の請求項７に対応する実施の形態を図面を用いて説明する。
図１４は、本発明の実施の形態４による動画像再生装置の構成を示す図である。
【００６９】
図１４において、Ｄ１００は動画を圧縮符号化した符号列、Ｄ１０２は復号後の画像データ、Ｄ１０３は映像信号、Ｄ１０４は復号を指示するコマンド、Ｄ１０５は画像の出力を指示するコマンド、Ｄ４００は復号の完了を示す信号、Ｄ４０１は符号列の入力位置を切り替えるコマンドである。
【００７０】
４００は符号列を読み出す符号列読み出し手段、１０１は符号列Ｄ１００を入力し復号後の画像データＤ１０１を出力する符号処理手段、１０２は復号後の画像を保持する復号画像保持手段、１０３は前記復号後の画像データＤ１０２を複数入力し映像信号Ｄ１０３を出力する画像出力手段、４０１は先読み時間を保持する先読み時間保持手段、４０２は符号列に含まれるＩピクチャ表示時刻・符号位置の表保持手段、１０８は制御手段である。
【００７１】
前記制御手段１０８の動作を図１６のフローチャートを用いて説明する。
図１５は、本発明の実施の形態４による動画像再生装置の符号列切り替え動作のフローチャートである。
【００７２】
図１５において、前記制御手段１０８は前記復号手段１０２より画像の復号完了信号Ｄ４００を受け取ると（ステップＳ５００）、次に出力予定の画像の復号が完了したかを調べ（ステップＳ５０１）、出力予定の画像の復号の完了を示す信号Ｄ４００を受信していると（ステップＳ５０１でＹｅｓ）、前記画像の出力予定の時刻と現在の時刻の間隔を取得する（ステップＳ５０２）。続いて１画像を復号する処理時間より大きければ（ステップＳ５０３でＹｅｓ）、現在時刻から前記先読み時間を保持する手段４０１に保持された時間だけ先の時刻を求め（ステップＳ５０４）、前記時刻以上先のＩピクチャを、前記符号列に含まれるＩピクチャの表示時刻・符号位置の表から検索し（ステップＳ５０５）、現在復号中の符号列のアドレスを退避し（ステップＳ５０６）、検索した符号位置の符号列を前記復号手段に入力するよう前記符号列読み出し手段４００に符号列の入力位置を切り替えるコマンドＤ４０１により指示し（ステップＳ５０７）、入力された符号列を復号するよう前記復号手段１０１に指示し（ステップＳ５０８）、復号した画像と前記次に出力予定の画像とを同時に出力するよう前記画像出力手段１０３に指示し（ステップＳ５０９）、ステップＳ５０５で退避した符号列のアドレスを復帰する（ステップＳ５１０）。
【００７３】
図１６は、本発明の実施の形態４による動画像再生装置における、入力符号列と出力画像の表示の関係を示した図である。
図１６において、符号列１６１の画像「Ｂ１」が画面１６２の主画像として出力されており、時間軸上の先読み時間未来の前記符号列１６１の画像「Ｉ３０」が前記画面１６２の先読み画像として出力されている。
【００７４】
このように本実施の形態によれば、先読み時間保持手段４０１と、符号列に含まれるＩピクチャ表示時刻・符号位置の表保持手段４０２と、先読み時間保持手段４０１から先読み時間を入力し、Ｉピクチャ表示時刻・符号位置の表を入力し、復号処理手段１０１から出力予定の画像の復号完了信号が入力し、符号列読み出し手段４００に符号列の入力位置の切替指示を出力し、前記復号処理手段１０１に復号指示を出力し、画像出力手段１０３に出力画像情報および画像出力指示を出力する制御手段１０８を有し、前記制御手段は、前記復号処理手段より画像の復号完了信号を受け取り、出力予定の画像の復号が完了している場合、前記画像の出力予定の時刻と現在の時刻の間隔が１画像を復号する処理時間より大きければ、現在時刻から前記先読み時間を保持する手段に保持された時間以上先のＩピクチャを、前記符号列に含まれるＩピクチャ表示時刻・符号位置の表から検索し、検索した符号位置の符号列を前記復号処理手段１０１に入力して入力された符号列を復号するよう指示し、復号した画像と前記次に出力予定の画像とを同時に出力するよう前記画像出力手段１０３に指示するようにしたので、再生速度が高速になっても、所定時間先の画像を画面に副画像として表示することができ、そのため視認により適切な位置を判断して再生を停止することが容易になる。
【産業上の利用可能性】
【００７５】
本発明の動画像再生装置は、ＭＰＥＧ方式などの画像間相関を利用した圧縮方式により符号化された動画像符号列を、光ディスクやハードディスクなどの記録手段や通信手段から取得し、その動画符号列を復号し出力する動画像再生装置に利用でき、限られた復号処理性能で高速再生を実現できる動画像再生装置等として有用である。
【図面の簡単な説明】
【００７６】
【図１】本発明の実施の形態１による動画像再生装置の構成図である。
【図２】本発明の実施の形態１による動画像再生装置の閾値設定動作のフローチャートである。
【図３】本発明の実施の形態１による動画像再生装置の出画判定動作のフローチャートである。
【図４】本発明の実施の形態１による動画像再生装置の入力符号列と出力画像の説明図である。
【図５（ａ）】従来の高速再生復号方法による出力画像数と復号画像数を示す表である。
【図５（ｂ）】本発明の実施の形態１による動画像再生装置の出力画像数と復号画像数を示す表である。
【図６】本発明の実施の形態２による動画像再生装置の構成図である。
【図７（ａ）】本発明の実施の形態２による動画像再生装置のスキップ予定数と再生速度の表である。
【図７（ｂ）】本発明の実施の形態２による動画像再生装置のスキップ予定数と再生速度の表である。
【図８】本発明の実施の形態２による動画像再生装置の出画判定動作のフローチャートである。
【図９】本発明の実施の形態２による動画像再生装置のＢピクチャ連続数が２の場合の入力符号列と出力画像の説明図である。
【図１０】本発明の実施の形態２による動画像再生装置のＢピクチャ連続数が３の場合の入力符号列と出力画像の説明図である。
【図１１】本発明の実施の形態２による動画像再生装置の出力画素数と復号画像数を示す表である。
【図１２】本発明の実施の形態３による動画像再生装置の構成図である。
【図１３】本発明の実施の形態３による動画像再生装置の出画判定動作のフローチャートである。
【図１４】本発明の実施の形態４による動画像再生装置の構成図である。
【図１５】本発明の実施の形態４による動画像再生装置の符号列切り替え動作のフローチャートである。
【図１６】本発明の実施の形態４による動画像再生装置の入力符号列と出力画像の表示の関係図である。
【図１７】従来例による動画像再生装置の動作のフローチャートである。
【図１８】従来例による動画像再生装置の入力符号列と出力画像の関係図である。
【符号の説明】
【００７７】
１００  符号化タイプ取得手段
１０１  復号処理手段
１０２  復号画像保持手段
１０３  画像出力手段
１０４  スキップ数保持手段
１０５  第１の閾値保持手段
１０６  第２の閾値保持手段
１０７  再生速度入力手段
１０８  制御手段
２００  スキップ予定数保持手段
２０１  Ｂピクチャ連続数保持手段
２０２  スキップ予定数・再生速度の表保持手段
３００  フィールド出画フラグ保持手段
４００  符号列読み出し手段
４０１  先読み時間保持手段
４０２  Ｉピクチャ表示時刻・符号位置の表保持手段
【図１】
2005333441.tif 000003
【図２】
2005333441.tif 000004
【図３】
2005333441.tif 000005
【図４】
2005333441.tif 000006
【図５（ａ）】
2005333441.tif 000007
【図５（ｂ）】
2005333441.tif 000008
【図６】
2005333441.tif 000009
【図７（ａ）】
2005333441.tif 000010
【図７（ｂ）】
2005333441.tif 000011
【図８】
2005333441.tif 000012
【図９】
2005333441.tif 000013
【図１０】
2005333441.tif 000014
【図１１】
2005333441.tif 000015
【図１２】
2005333441.tif 000016
【図１３】
2005333441.tif 000017
【図１４】
2005333441.tif 000018
【図１５】
2005333441.tif 000019
【図１６】
2005333441.tif 000020
【図１７】
2005333441.tif 000021
【図１８】
2005333441.tif 000022